(57)【特許請求の範囲】
【請求項１】
樹脂ケースを備えるソレノイドであって、
前記樹脂ケースは、有底パイプ部の周囲に同軸状にケース部が配された一体成形物からなり、
前記有底パイプ部は、可動鉄心を軸線方向に摺動可能に収容すると共に、開口部に固定鉄心の細径部が挿通され、
前記ケース部の環状凹部に、奥から順に、ドーナツ板状ヨーク、ボビンに巻回されたソレノイドコイル、他のドーナツ板状ヨークが配され、前記ソレノイドコイルの外周面側に磁性体からなる中空円筒状ケースが配されて構成される
ことを特徴とするソレノイド。
【発明の詳細な説明】
【０００１】
【発明の属する技術分野】
本発明は、バルブ本体に装着されバルブ本体と共に電磁弁を構成するソレノイドに関する。
【０００２】
【従来の技術】
一般に、油圧回路等の構成要素となる電磁弁は、油流路等を開閉するスプールが内蔵されたバルブ本体に、上記スプールを作動する同一構造からなる左右一対のソレノイド（電磁石装置ともいう。）を装着して構成される。
【０００３】
図３は、この種の左右一対のソレノイドの一方のソレノイドの従来例の断面図を示している。
【０００４】
図３に示すソレノイド１は、油浸型の電磁弁等に広く使用されているソレノイドである。このソレノイド１は、コイルアッシー２とチューブアッシー３とナット４とを備える。
【０００５】
コイルアッシー２は、樹脂製ボビン２１と、このボビン２１に巻回されたソレノイドコイル２２と、ソレノイドコイル２２が励磁されたとき図示破線矢印で示す磁気回路ＭＣの一部を形成するドーナツ板状の複数のヨーク２３と、同じく磁気回路ＭＣの一部を形成する中空円筒状の磁性体２４と、ソレノイドコイル２２に外部から電流を取り入れるためのターミナルピン２５とを備え、これらの部品２１〜２５を金型にセットして樹脂材料を注入することにより、樹脂ケース２６内に上記各部品２１〜２５がモールドされて一体に形成されている。
【０００６】
チューブアッシー３は、コイルアッシー２のボビン２１の中空部に挿入されている。チューブアッシー３は、図示しないバルブ本体に形成された雌ねじにねじ込まれる雄ねじ３１ａを有する固定鉄心３１と、ソレノイドコイル２２の励磁時に固定鉄心３１から磁気吸引力を受ける可動鉄心（プランジャー）３２と、一端が固定鉄心３１に溶着され他端がストッパー３４に溶着され、可動鉄心３２を軸方向に摺動可能に収容した非磁性体からなるパイプ３３と、可動鉄心３２の図３における上端位置を規制するストッパー３４とから一体に形成されている。ストッパー３４の貫通孔には、シール性を確保しながら手動操作ピン３９が摺動可能に挿入されている。手動操作ピン３９は、外部からの操作により可動鉄心３２及びプッシュピン３５を介してバルブ本体内のスプール（図示せず）を手動で作動させるためのものである。
【０００７】
ナット４は、チューブアッシー３のストッパー３４の雄ねじ３４ａにねじ込まれるナットであり、チューブアッシー３とコイルアッシー２とを一体化させてバルブ本体に組み付けるために用いられる。すなわち、バルブ本体へのソレノイドの装着方法は、チューブアッシー３の固定鉄心３１の雄ねじ３１ａをバルブ本体の雌ねじにねじ込み、チューブアッシー３にコイルアッシー２を組み付けた状態で、チューブアッシー３のストッパー３４の雄ねじ３４ａにナット４をねじ込むようにする。
【０００８】
なお、可動鉄心３２の下端面にはプッシュピン３５の上端面が当接しており、このプッシュピン３５は、固定鉄心３１の上下方向の貫通孔３１ｂを通ってバルブ本体のスプール（図示せず）に当接している。また、ソレノイドコイル２２の消磁時かつ他方のソレノイド（バルブ本体を挟んで図３図示のソレノイドとは反対側に位置し、図３図示のソレノイドと同一構造を有する）のソレノイドコイルの励磁時には、スプール（図示せず）がスプリング（図示せず）の弾性力に抗してプッシュピン３５を押し、可動鉄心３２は固定鉄心３１から離隔される。
【０００９】
【発明が解決しようとする課題】
しかしながら、上記従来のソレノイドによると、パイプ３３と樹脂ケース２６とが別体に形成されており、部品点数が多くコスト高になるという問題があった。
【００１０】
本発明は、上記問題点を解決し、パイプ部とケース部とを樹脂で一体成形させることにより部品点数を減少させコスト低減を図ることを目的としてなされたものである。
【００１１】
【課題を解決するための手段】
本発明のソレノイドは、樹脂ケースを備えるソレノイドであって、前記樹脂ケースは、有底パイプ部の周囲に同軸状にケース部が配された一体成形物からなり、前記有底パイプ部は、可動鉄心を軸線方向に摺動可能に収容すると共に、開口部に固定鉄心の細径部が挿通され、前記ケース部の環状凹部に、奥から順に、ドーナツ板状ヨーク、ボビンに巻回されたソレノイドコイル、他のドーナツ板状ヨークが配され、前記ソレノイドコイルの外周面側に磁性体からなる中空円筒状ケースが配されて構成されることを特徴とする。
【００１２】
【発明の作用効果】
本発明によると、パイプ部とケース部とを樹脂で一体成形させているため、部品点数が減少しコストを低減させることができる。
【００１３】
【発明の実施の形態】
以下、本発明の実施の形態を図面に基づいて説明する。
【００１４】
図１は、一実施例によるソレノイドの分解斜視図、図２は、同ソレノイドの断面図を示す。
【００１５】
本実施例のソレノイド５は、一体成形された樹脂ケース５１を備える。樹脂ケース５１は、有底パイプ部５１ａと、この有底パイプ部５１ａの周囲に同軸状に配されたケース部５１ｂとを有し、このケース部５１ｂは、有底パイプ部５１ａの底壁５１ｃから延在するドーナツ板状の蓋部５１ｄを有する。また、ケース部５１ｂの自由端には、ボルト等取付金具６によってバルブ本体７に取り付けられる取付部５１ｅが形成されている。
【００１６】
有底パイプ部５１ａには、可動鉄心（プランジャー）５２が軸線方向に摺動可能に収容され、その開口部に、固定鉄心５３の細径部５３ａが挿通される。
【００１７】
ケース部５１ｂの環状凹部には、奥から順に、ドーナツ板状ヨーク５４、ボビン５５に巻回されたソレノイドコイル５６、他のドーナツ板状ヨーク５７が配され、ソレノイドコイル５６の外周面側に磁性体からなる中空円筒状ケース５８が配されている。二つのドーナツ板状ヨーク５４、５７は、中空円筒状ケース５８の両端面側に配されている。
【００１８】
また、樹脂ケース５１及び中空円筒状ケース５８には、ソレノイドコイル５６のリード線５６ａを外部に出すための切欠５１ｆ及び５８ａがそれぞれ形成されている。
【００１９】
次に、上記各部品からなるソレノイド５をバルブ本体７に固定する方法の一例を説明すると、樹脂ケース５１の有底パイプ部５１ａに可動鉄心５２を挿入するとともに、ケース部５１ｂに、奥から順にドーナツ板状ヨーク５４、ソレノイドコイル５６と中空円筒状ケース５８、他のドーナツ板状ヨーク５７を収容し、バルブ本体７の凹部７１にセットされている固定鉄心５３の細径部５３ａを有底パイプ部５１ａの開口部に挿通し、取付部５１ｅを取付金具６によってバルブ本体７に固定する。ここで、リード線５６ａが中空円筒状ケース５８及び樹脂ケース５１の各切欠５８ａ、５１ｆを通って外部に出るように、樹脂ケース５１と中空円筒状ケース５８とソレノイドコイル５６との位置合わせが行なわれることはいうまでもない。
【００２０】
以上説明したように、本実施例のソレノイド５は、樹脂ケース５１を備えるソレノイドであって、樹脂ケース５１は、有底パイプ部５１ａの周囲にケース部５１ｂが配された一体成形物からなり、有底パイプ部５１ａは、可動鉄心５２を軸線方向に摺動可能に収容し、ケース部５１ｂは、ボビン５５に巻回されたソレノイドコイル５６、このソレノイドコイル５６の外周面側に配される磁性体からなる中空円筒状ケース５８及びこの中空円筒状ケース５８の両端面側に配されるドーナツ板状ヨーク５４、５７をそれぞれ収容することを特徴とする。
【００２１】
このため、本実施例のソレノイド５によると、パイプ部５１ａとケース部５１ｂとを樹脂で一体成形させているため、部品点数が減少しコストを低減させることができる。
【図面の簡単な説明】
【図１】一実施例によるソレノイドの分解斜視図である。
【図２】同ソレノイドの断面図である。
【図３】従来のソレノイドの断面図である。
【符号の説明】
５    ソレノイド
５１    樹脂ケース
５１ａ    有底パイプ部
５１ｂ    ケース部
５２    可動鉄心
５４、５７    ドーナツ板状ヨーク
５５    ボビン
５６    ソレノイドコイル
５８    中空円筒状ケース
【図１】
0003811835.tif 000002
【図２】
0003811835.tif 000003
【図３】
0003811835.tif 000004